Podtech/llm-jp-corpus-v4-ja_patent huggingface dataset:
(57)【要約】【課題】食品やタバコ等の自動前出し式の陳列棚や陳列ボックスにおいて商品の補給や先入れ先出しを容易にする構造を提供する。【解決手段】自動前出し陳列ボックスの商品の前部からの補給を簡単に行うために、先頭の商品の前面が接する壁の形状において、壁の上部が商品と逆のサイドに、直線または曲線状に折れ曲がった形状を持ち、又商品補給時の先入れ先出しを容易におこなう為に、後方よりプッシュする押し板の形状において、その上部が商品より逆サイドに直線曲または曲線状に折れ曲がった形状を持つ、陳列ボックスと押し板を提供する。【選択図】図４
0003134811.tif 000002
【実用新案登録請求の範囲】
【請求項１】
食品やタバコ等を陳列棚や陳列ボックスの後方からバネに接続する押し板によりプッシュし、自動前出しを行う陳列棚や陳列ボックスで、先頭の商品の前面が接する壁の形状において、壁の上部が商品と逆のサイドに、直線または曲線状に折れ曲がった形状を持つ、陳列棚や陳列ボックス。
【請求項２】
食品やタバコ等を陳列棚や陳列ボックスの後方からバネに接続する押し板によりプッシュし、自動前出しを行う陳列棚や陳列ボックスで、後方よりプッシュする押し板の形状において、その上部が商品より逆サイドに直線または曲線状に折れ曲がった形状を持つ押し板。
【考案の詳細な説明】
【技術分野】
【０００１】
本考案は、食品やタバコ等の自動前だし陳列棚や陳列ボックスにおいて、商品の補給や、商品の先入れ先出しを簡単におこなう為の形状に関する。
【背景技術】
【０００２】
従来の自動前出し陳列ボックスは、前部から商品をを補給する際、ボックス前部の壁より上の商品部を後方に押してスペースをつくりその後下方に補給商品を差し込むため、商品が壁に引っかかり、入れにくいという問題があった。又、先入れ先出しを行う際、一度押し板をボックス後部のでっぱりまで押し戻して引っ掛けて止めた後に補給作業を行うが、商品の補給中に簡単に外れやすいという問題があった。
【考案の開示】
【考案が解決しようとする課題】
【０００３】
解決しようとする問題点は、自動前出し陳列ボックスの商品の前部からの補給と先入れ先だし補給をより簡単に行うという点である。
【課題を解決するための手段】
【０００４】
本考案は、自動前出し陳列ボックスの商品の前部からの補給を簡単に行うために、先頭の商品の前面が接する壁の形状において、壁の上部が商品と逆のサイドに、直線または曲線状に折れ曲がった形状を持ち、又商品補給時の先入れ先出しを容易におこなう為に、後方よりプッシュする押し板の形状において、その上部が商品より逆サイドに直線曲または曲線状に折れ曲がった形状を持つ、陳列ボックスとその中の押し板にある。
【考案の効果】
【０００５】
本考案においては、自動前出し陳列ボックス使用時の前からの補給と、先入れ先だし時の補給が容易になり、商品補給の時間が削減でき、また、使用用途、使用場所も広がる。
【考案を実施するための最良の形態】
【０００６】
自動前出し陳列ボックスにおいて、商品の補給及び先入れ先出しを容易に行うためのボックス構造及び押し板構造を実現した。
【実施例１】
【０００７】
図１は自動前出し陳列ボックスの前部壁の上部の形状を商品をは逆方向に折り曲げたボックスである。
【０００８】
図２は商品が後ろより押され整列されている状態の図である。
【０００９】
補給商品は、外側に折り曲げられた傾斜壁部１に滑らせながら押入れさせ最前列商品２を後方に押しながら、最前部にセットされる。
【実施例２】
【００１０】
図３は、最後部商品との接し面上部が外側に折り曲げられた押し板の図である
【００１１】
図４は、押し板が最後列商品３を押し整列している状態の図である。
【００１２】
補給商品は最後部商品3と押し板５の間で押し板の外側に折り曲げられた傾斜壁部４に滑らせながら押し入れられ、押し板を後方に押しながら、最後部にセットされる。
【実施例３】
【００１３】
図５は前部壁が外側に湾曲された形状を持つ陳列ボックスの形状例である。
【実施例４】
【００１４】
図６は押し板の上部が湾曲された形状を持つ押し板の形状例である。
【産業上の利用可能性】
【００１５】
自動前だし陳列ボックスの前部壁上部に商品とは逆の方向に曲げた形状を持たせることにより、また、押し板上部に商品とは逆方向に曲げた形状を持たせることにより、商品補給時の作業性のアップと先入れ先出しの徹底につながり、店頭での商品の品質管理の向上につなげることができる。
【図面の簡単な説明】
【００１６】
【図１】自動前出しボックスの本体部形状である。（実施例１）
【図２】自動前出しボックスに商品がセットされて後方より押されている状態の図である。（実施例１）
【図３】押し板の形状である。（実施例２）
【図４】押し板に最後部商品がセットされている状態の図である。（実施例２）
【図５】本体ボックス部の形状図である。（実施例３）
【図６】押し板の形状図である。（実施例４）
【符号の説明】
【００１７】
１    ボックス本体の傾斜壁部
２    最前列商品
３    最後列商品
４    押し板の傾斜部
５    押し板
【図１】
0003134811.tif 000003
【図２】
0003134811.tif 000004
【図３】
0003134811.tif 000005
【図４】
0003134811.tif 000006
【図５】
0003134811.tif 000007
【図６】
0003134811.tif 000008
(57)【要約】【課題】  高価なシステムを必要とすることなく、一般家庭で使用した浄水の量を正確に計量することができる浄水器使用量計量システムを提供することを課題とする。【解決手段】  水道蛇口に設けられた切り替えコックと、該コックと水道メーターを接続する第１のホースと、水道メーターと、該水道メーターと浄水器とを接続する第２のホースと、浄水器とを少なくとも備えた浄水器使用量計量システムであって、該第１及び第２のホースと該水道メーターとは、継手を介してそれぞれ接続されていることを特徴とする浄水器使用量計量システムである。【選択図】        図１
0003134826.tif 000002
【実用新案登録請求の範囲】
【請求項１】
水道蛇口に設けられた切り替えコックと、該コックと水道メーターを接続する第１のホースと、水道メーターと、該水道メーターと浄水器とを接続する第２のホースと、浄水器とを少なくとも備えた浄水器使用量計量システムであって、該第１及び第２のホースと該水道メーターとは、継手を介してそれぞれ接続されていることを特徴とする浄水器使用量計量システム。
【請求項２】
上記継手は、第１及び第２のホースが挿入される側を断面鏃状としたことを特徴とする請求項１に記載の浄水器使用量計量システム。
【考案の詳細な説明】
【技術分野】
【０００１】
本考案は、浄水器の使用量を水道メーターで計量する浄水器使用量計量システムに関する。
【背景技術】
【０００２】
一般家庭で使用される浄水器は蛇口の先にある切換レバーによって水道水を浄水器に導き浄水として供給されている。この場合定期的なカートリッジの買替交換が必要であり交換及び買替の手間が煩わしかった。
他方カートリッジの交換なしに何年も使用できる浄水器もあるが、このような浄水器は非常に高価であり気軽に購入することができなかった。
【０００３】
浄水器の販売あるいはレンタルは、浄水器あるいはカートリッジに値段をつけて販売あるいはレンタル料金を設定していた。
上記の方法とは対称的に、使った水の量に応じて値段をつけることも提案されている（特許文献１）が、システムが大がかりとなりまた高価なものとなっており、一般家庭向きではない。
【特許文献１】特開平８−７７４５４号公報
【考案の開示】
【考案が解決しようとする課題】
【０００４】
したがって本考案は、高価なシステムを必要とすることなく、一般家庭で使用した浄水の量を正確に計量することができる浄水器使用量計量システムを提供することを課題とする。
また本考案は、一般家庭に浄水器をレンタルし、使用した浄水の量に応じて課金することができる浄水器使用量計量課金システムに好適な浄水器使用量計量システムを提供することを課題とする。
さらに本考案は、浄水器使用量計量システムにおいてホースが外れることがない継手を提供することを課題とする。
【課題を解決するための手段】
【０００５】
本考案の課題を解決するための具体的な手段は、次のとおりである。
（１）水道蛇口に設けられた切り替えコックと、該コックと水道メーターを接続する第１のホースと、水道メーターと、該水道メーターと浄水器とを接続する第２のホースと、浄水器とを少なくとも備えた浄水器使用量計量システムであって、該第１及び第２のホースと該水道メーターとは、継手を介してそれぞれ接続されていることを特徴とする浄水器使用量計量システム。
【０００６】
（２）上記継手は、第１及び第２のホースが挿入される側を断面鏃状としたことを特徴とする（１）に記載の浄水器使用量計量システム。
【考案の効果】
【０００７】
本考案の浄水器使用量計量システムによれば、次のような効果がある。
（１）高価なシステムを必要とすることなく、一般家庭で使用した浄水の量を正確に計量することができる浄水器使用量計量システムが得られる。
（２）このため、一般家庭に浄水器をレンタルし、使用した浄水の量に応じて課金することができる浄水器使用量計量課金システムに好適である。
（３）さらに浄水器使用量計量システムに使用する継手の第１及び第２のホースが挿入される側を断面鏃状としたことによりホースが継手から外れることがない。
【考案を実施するための最良の形態】
【０００８】
本考案の実施の形態について図面を参照して詳細に説明する。
図１は、本考案に係る浄水器使用量計量システムを示す図面である。
本考案で使用される浄水器はポット型のもので台所のシンクの脇に置く。この浄水器は１０万リットルの水道水を処理することが出来るようになっている。すなわち１日１５リットル使用しても約２０年は交換することなく使用できるものである。
【０００９】
水道メーターは、蛇口と、浄水器を結ぶホースの間に設置する。この水道メーターにより蛇口から浄水器に流入する水量が計量される。
【００１０】
本考案の浄水器使用量計量システムにおいて使用する水道メーターは、水道の使用量を計量する通常の水道メーターであるため特殊な継手が必要である。
すなわち水道メーターは、（１３ｍｍ以上の）水道管に接続するものであり、φ８程度と細い浄水器のホースをそのまま接続できない。
【００１１】
このため本考案の浄水器使用量計量システムでは、図２に示すような継手を使用するものである。図２において中央がφ８ホース継手の正面図であり、左右の図面がその側面図である。この継手は、水道メーターに接続する側を切りネジとし、第１及び第２のホースが挿入される側を断面鏃状としたものである。
【００１２】
図３は、継手の装着説明図である。φ８ホースの先端が継手の断面鏃状の部分を超えて奥まで挿入される。次にホースの上からニップルが継手の中央部にあるネジ山にネジ止めされる。このとき先の方を断面鏃状としたため、ホースは継手に完全に固定され、外れることがない。なお継手は図面右のブッシングにネジ止めされて、ホースと水道メーターが接続されることになる。
【００１３】
本考案の浄水器使用量計量システムは、浄水器使用量計量課金システムに好適である。すなわち本考案の浄水器使用量計量システムを浄水器使用量計量課金システムに適用することにより、一般家庭においてカートリッジの買い替えもいらず、イニシャルコストもかけずに、高級な浄水器を使えるようになる。一般家庭では水道メーターで計量された使用量に応じた従量制で料金を支払うことになる。
【図面の簡単な説明】
【００１４】
【図１】本考案の浄水器使用量計量システムを示す模式図である。
【図２】本考案の浄水器使用量計量システムに使用する継手の設計図面である。
【図３】本考案の浄水器使用量計量システムに使用する継手の装着説明図である。
【図１】
0003134826.tif 000003
【図２】
0003134826.tif 000004
【図３】
0003134826.tif 000005
(57)【要約】      （修正有）【課題】従来の消火機器よりも簡単な使用方法の消火機器を提供する。【解決手段】消火剤を投てきに適した形状にし、火気により容易に破損する素材で消火薬剤を包装することで、火元に投入するだけで使用可能な消火器を提供する。【選択図】図１
0003134830.tif 000002
【実用新案登録請求の範囲】
【請求項１】
従来のものより使用方法が簡単な、あらゆる使用者が簡便且つ適確に消火活動可能な火元投入型消火機器
【考案の詳細な説明】
【技術分野】
【０００１】  本考案は、エアゾール式簡易消火具で代表される家庭用消火器具および消火機器に関するものである。
【背景技術】
【０００２】  従来の消火器は、使用の際はパニックに陥りやすい災害時でも冷静な判断が要求されるものだった。そのため、使用経験のない者には多少使用しづらいものであった。
【考案の開示】
【考案が解決しようとする課題】
【０００３】  従来の消火器は▲１▼ピンを抜き▲２▼ホースの先を火元に向け▲３▼放出レバーを押すという使用方法のため、火災発生時のパニックで使用者がピンを抜き忘れるという事故が頻発していた。またホースの先を火元に向けながらレバーを押す作業も消火器を抱えながら行うため、女性や子ども・老人には消火器が重く難しい場合があった。
【課題を解決するための手段】
【０００４】  本考案は、災害発生時に火元に投入するだけの簡単な使用方法の消火器を考案・発明することで問題を解決している。
【考案の効果】
【０００５】  上述のように、本考案の火元投入型消火器は従来のものより使用方法が簡単であり、火災発生時のパニックに陥り冷静な判断力を欠いた状態でもほぼ適確に使用可能である。従って、万一の火災発生時のより簡便且つ適確な消火活動が可能となる。
【考案を実施する最良の形態】
【０００６】  消火剤を、投てきに適した形状の容器内に充填する。使用の際は当該製品を火元に投入して使用する。
【実施例】
【０００７】  以下、添付図面に従って一実施例を説明する。１は当該品目の容器（ボール状）であり、内部は消火剤で充填されている。使用の際は当該品目を火元に投入するだけでよい。【０００８】  尚、使用法の一例として、大型の当該製品を火元に投入することで、地下等の消防車の乗り入れが困難な箇所での火災の際も消火活動が容易になる。【０００９】  当該品目の寸法に関しては、人間が火元に投てきしやすい大きさの範囲内で適宜設定・変更可能である。尚、成人男性のみならず女性・子ども・老人も投てきしやすい大きさが好ましい。ただし、大規模な火災時等必要に応じて適宜変更可能である。【００１０】  当該品目の容器の形状に関しては、投てきに適した形状と１、適宜設定・変更可能とする。【００１１】  当該品目の容器の素材に関しては適宜設定・変更可能である。尚、搬送時その他の衝撃に強く、火元に投入した際破損しやすく、燃焼した際も有毒ガスを発生しない（且つ中身の消火剤が変質しない）素材が好ましい。一例としてボール紙等が挙げられるが、これ以外にもふさわしいと判断される素材があれば適宜変更可能である。【００１２】  当該品目のデザインに関しては、万一の災害発生時に人目をひきやすく、また文字の読めない子ども・外国人でも消火器と判別しやすいものとし、、適宜設定・変更可能る。【００１３】  当該製品の構成品目に関しては、いずれも特許権・商標権・意匠権・著作権その他の権利問題が一切発生しないもののみ採用可能とする。
【図面の簡単な説明】
【００１４】
【図１】  本考案の火元投入型消火器の一実施例（ボール型）を示す簡単な図である。
【符号の説明】
【００１５】  １  火元投入型消火器・容器（ボール型）
２  消火剤
【図１】
0003134830.tif 000003
【手続補正書】
【提出日】平成18年12月15日(2006.12.15)
【手続補正１】
【補正対象書類名】実用新案登録請求の範囲
【補正対象項目名】請求項１
【補正方法】変更
【補正の内容】
【請求項１】
消火薬剤を球状或いは投てきに適した形状の容器に充填した、火元投入型消化器
【手続補正書】
【提出日】平成19年4月6日(2007.4.6)
【手続補正１】
【補正対象書類名】実用新案登録請求の範囲
【補正対象項目名】全文
【補正方法】変更
【補正の内容】
【実用新案登録請求の範囲】
【請求項１】
火気により容易に破損する素材で消火薬剤を包装、火元に投入するだけで使用可能な消火器
(57)【要約】      （修正有）【課題】従来の暖房器具は電気．ガス．石油などで熱を出していたが、出しっぱなしで必要のない場所まで無駄な熱が大量にいっていたため、エネルギーをムダに使ってしまうことと、暖まるのに時間がかかるという問題があった。本考案は人や物を暖めたり冷やすのに電気を使わない冷暖房器具を提供する。【解決手段】様々な囲いの上や横をいろいろな自由角度或いは固定角度で内側、暖める側に曲げ、折りたたみ式．組立式．固定式タイプのエアーホット暖炉で、しかも、取り外し自由型タイプで棚や物干しやイス机等を付けれるようにする。さらに、エアーホット暖炉を数台つなげることによってテーブルを囲んだり広い空間を暖めることが出来る。【選択図】図１
0003134829.tif 000002
【実用新案登録請求の範囲】
【請求項１】
直線型．Ｌ型．Ｕ型．Ｌ型．Ｔ型．曲線型等様々な型の囲いの上と横を様々な角度（固定型．調整型）で内側にまげ、取り外し式の物干し．棚．テーブル等を自由につけて  、暖房器具の出した熱を内側に貯めることによって人．洗濯物．洋服．食べ物．靴．寝具等様々なものを確実に暖める折りたたみ式．組立式．固定式、縦或いは横の伸縮式、安全のためにストッパーや車付式としてもよい電気を使わない省エネのホットエアー暖炉である。
【考案の詳細な説明】
【産業上の利用分野】
【０００１】  この考案は人や物を暖める電気を使わない暖房器具に関するものである。
【背景技術】
【０００２】  従来の暖房器具は電気．ガス．石油などで熱を出していたが、出しっぱなしで必要のない場所まで無駄な熱が大量にいっていたため、エネルギーをムダに使ってしまうことと、暖まるのに時間がかかるという問題があった。
【考案が解決しようとする課題】
【０００３】  この考案の目的は、このような従来の欠点を解決することにあり、暖房器具が出した熱を自由自在に囲ったところに集めるよう囲いの上や横等必要部分を内側に曲げることによって暖房費．エネルギーが大幅に節約出来しかも十分暖かくなる。
【課題を解決するための手段】
【０００４】  様々な囲いの上や横をいろいろな自由角度或いは固定角度で内側、暖める側に曲げ、折りたたみ式．組立式．固定式タイプのエアーホット暖炉で、しかも、取り外し自由型タイプで棚や物干しやイス机等を付けれるようにする。さらに、エアーホット暖炉を数台つなげることによってテーブルを囲んだり広い空間を暖めることが出来る
【考案の効果】
【０００５】  省エネで地球温暖化対策として最適なエアーホット暖炉を使うことによって、少しの暖房だけで熱は自由自在に必要な部分に溜まり暖まる。ファンストーブなどの温風タイプだと瞬間的に体の芯から暖まる。また、洗濯物に四方八方から熱があたりすぐに乾くことが出来る。食べ物も保温にでき、寒い朝、着替えの洋服を暖めることもできます。
【実施例】
【０００６】  ストーブや暖房器具の熱の出るほうに少し離して置くと、安全でしかも熱がしっかり貯まります。
【産業上の利用可能性】
【０００７】  地球温暖化対策として室温２０度設定にと言われている今、現実２０度では寒くて風邪を引く人も多くなろうといわれる中、誰人にとっても必要不可欠なものとなっていく期待がある。
【図面の簡単な説明】
【０００８】  図はＵ字型を基本にしましたが、全てに共通です。【図１】  様々な型の囲いの上（ａ）と横（ｂ）を内側に曲げた固定式である。
【図２】  様々な型の囲いの上（ａ）と横（ｂ）を内側に曲げた折り畳み式である。
【図３】  フチつき棚（ｇ）や物干し（ｈ）を取り付けたタイプです。
【図４】  様々な型の囲いの上（ａ）と横（ｂ）を内側に曲げた部分です。
【図５】  使用例です。
【符号の説明】
（ａ）上，（ｂ）横、（ｃ）ストッパー、（ｄ）車、（ｅ）おり曲がる部分、（ｆ）棚やかごつき棚や物干し等を止める留め具、（ｇ）縁つき棚、（ｈ）いろいろな物干し、（ｉ）１台使用例、（ｊ）数台でテーブルを囲んだ場合、（ｋ）ストーブ
【図１】
0003134829.tif 000003
【図２】
0003134829.tif 000004
【図３】
0003134829.tif 000005
【図４】
0003134829.tif 000006
【図５】
0003134829.tif 000007
【手続補正書】
【提出日】平成18年4月18日(2006.4.18)
【手続補正１】
【補正対象書類名】実用新案登録請求の範囲
【補正対象項目名】全文
【補正方法】変更
【補正の内容】
【実用新案登録請求の範囲】
【請求項１】
直線型・Ｌ字型・Ｕ字型・Ｔ字型の板や囲いの上又は上と横を冷暖房機器に向くほうの内側に曲げて冷暖房の出す温熱や冷風を囲うことによって少しのエネルギーで冷暖房効果をアップすることを目的とした瞬間持続的冷暖房効果アップ装置。
【請求項２】
請求項１を折り畳み式や組立式やスライド式又はそれぞれ組み合わせた瞬間持続的冷暖房効果アップ装置。
【請求項３】
請求項１〜２に棚又は物干しや車を付けたものや取り外し式付け外し部その他器具を付けた瞬間持続的冷暖房効果アップ装置。
(57)【要約】【課題】  本考案は自動車のヘッドレスト部分にミラーを取り付けることによって、タクシーにおける後部座席の忘れ物を運転手が確認し、防止する事ができる。【解決手段】本考案は４の広角ミラーを２及び３のステーを使い自由に位置調整を可能にし、３のステーを助手席及び運転席のヘドレスト部分に取り付け、運転手が安易に真後ろを確認出来るようにして、お客様の忘れ物防止に役立つ。【選択図】図２
0003134846.tif 000002
【実用新案登録請求の範囲】
【請求項１】
事業用車両（タクシー）の助手席又は運転席のヘッドレスト部分に取り付ける事を特徴とした、一定区間自由に動かす事ができ、運転席の後方を運転手が無理な姿勢をせずに見渡すことができるミラー。
【考案の詳細な説明】
【技術分野】
【０００１】  本考案は自動車のヘッドレスト部分に取り付けるミラーに関するものである。
【背景技術】
【０００２】  毎日複数の人が利用するタクシーには忘れ物が非常に多い、特に運転席後方の置いた携帯電話等の小物が非常に多くなっている。
【考案の開示】
【考案が解決しようとする課題】
【０００３】  忘れ物は運転手が事業所に持ち帰り、事業所では持ち主探しや受け渡しに時間的、労働的な負担が大きい。又、携帯電話の場合は運転手が業務中に届ける事もあり、その日の売り上げにも影響する事になる。このミラーを取り付ける事によって忘れ物を減らし前述の負担を減らそうとするものである。
【課題を解決するための手段】
【０００４】  本考案は広角ミラーを助手席または運転席のヘッドレスト部分に取り付け、一定区間自由に動かすことができ、簡単に運転手の見やすい角度に調整できるようにする。
【考案の効果】
【０００５】  お客様が降車の際、運転手が無理な姿勢をとらずに後部座席の忘れ物を確認出来ると共に、ミラーが運転手の視界入ることによってお客様に忘れ物防止を促す事を忘れなくなる。
【考案を実施するための最良の形態】
【０００６】  自由な角度に動かすことが出来るステー付広角ミラーを、ヘッドレストへ取り付ける為の穴が開いたＬ字型のステーに蝶ネジで取り付ける事で、ミラーの場所、反射方向を運転手の自由に調整できるようにする。又、蝶ネジで取り付けた部分を反転させることによって、助手席、運転席でちらでも取り付けられるようにする。
【実施例】
【０００７】  以下、添付図面に従って説明する。本考案は番号１，２，３のプラスチック部分と４の広角ミラー部分からなる。１と２は５部分で３６０度自由に動く形でつながっている。２と３は６による蝶ネジで自由に動く事ができる。【０００８】  ３は７，８の穴によってヘッドレスト部分に取り付けるステーである。８は長めの穴で車種の違いなどで微妙に違うヘッドレストの幅に適応できるようにする。【０００９】  ６部分の蝶ネジを外し２を反転させる事により運転席のヘッドレスト部分に取り付けて使用することも可能である。
【図面の簡単な説明】
【００１０】
【図１】本考案の助手席側に取り付ける場合の正面図である。
【図２】本考案の助手席側に取り付ける場合の側面図である。
【符号の説明】
【００１１】１ミラー本体
２ミラー本体のステー
３ヘッドレストへ取り付ける為のステー
４広角ミラー
５はめ込み式取り付け場所
６ボルト及び蝶ネジ式ナット
【図１】
0003134846.tif 000003
【図２】
0003134846.tif 000004
【手続補正書】
【提出日】平成19年5月7日(2007.5.7)
【手続補正１】
【補正対象書類名】実用新案登録請求の範囲
【補正対象項目名】全文
【補正方法】変更
【補正の内容】
【実用新案登録請求の範囲】
【請求項１】
ミラー本体を穴の開いたステーと組み合す事によって、車のヘッドレストの側面にヘッドレストのアームを使い簡単に取り付けられる事を特徴とし、ミラー本体とステーの接続部分を手で回せる蝶ネジ式ナットにし、ミラー本体も自由に動くはめ込み式の物を使う事で運転席から運転席真後ろを運転手の見やすい角度に自由に調節できる後部座席確認用ミラー。
(57)【要約】【課題】ゼムクリップ本来の機能はそのままに、掛けるという機能を追加する。かつ挟んで掛けるという行為を誰でも簡単に連想できる形にする。【解決手段】クリップの形を、掛けるという行為を簡単に連想できるハンガーの形にすることにより、誰でも簡単に挟んで掛けるという行為を連想できるようにした。【選択図】図１
0003134841.tif 000002
【実用新案登録請求の範囲】
【請求項１】
ハンガーの掛けるという行為と、ゼムクリップの挟むという行為を合わせることによって、ゼムクリップをハンガーの形にすることにより、誰でも簡単に挟んで掛けるという行為を連想させることができる。
【考案の詳細な説明】
【技術分野】
【０００１】本考案は、ゼムクリップの形状を工夫することにより、書類や写真などを挟んだまま掛けることを可能にして、かつこのクリップを見ただけで、その行為を誰でも簡単に連想できる、ハンガーの形をしたクリップに関するものである。
【背景技術】
【０００２】従来のゼムクリップでは、挟むという行為は問題はないが、掛けるという行為に関してはまったくの計算外で、連想すらできなかった。
【考案の開示】
【考案が解決しようとする課題】
【０００３】挟んで掛けるという行為を、誰でも簡単に連想することのできる、クリップである。
【課題を解決するための手段】
【０００４】上記の問題を解決する為には、クリップの形を、掛けるという行為を簡単に連想できるハンガーの形にすることにより、誰でも簡単に挟んで掛けるという行為を連想できるようにした。
【考案の効果】
【０００５】ゼムクリップ本来の機能をまったく失うことなく、新しい機能を追加している。【０００６】ハンガーの形をしているので、簡単に掛けるという行為を連想できる。【０００７】写真やポスターなどを飾る際、直接写真に穴をあけずに飾ることができる。【０００８】棒やヒモなどにも掛けることが可能なので、書類整理などにも使える。【０００９】見た目も小さいハンガーみたいでかわいい。
【図面の簡単な説明】
【００１０】
【図１】ハンガークリップ本体の平面図である。
【図２】本考案の側面図、及び断面図である。
【符号の説明】
【００１１】１  ハンガークリップ本体
【図１】
0003134841.tif 000003
【図２】
0003134841.tif 000004
【手続補正書】
【提出日】平成19年6月5日(2007.6.5)
【手続補正１】
【補正対象書類名】実用新案登録請求の範囲
【補正対象項目名】全文
【補正方法】変更
【補正の内容】
【実用新案登録請求の範囲】
【請求項１】
ハンガ−の形状の外枠内に、ゼムクリップの構造を設けて、ゼムクリップをハンガ−の形状にした、ハンガ−クリップ。
【手続補正書】
【提出日】平成19年6月5日(2007.6.5)
【手続補正１】
【補正対象書類名】明細書
【補正対象項目名】全文
【補正方法】変更
【補正の内容】
【考案の詳細な説明】
【技術分野】
【０００１】本考案は、ゼムクリップの形状を工夫することにより、書類や写真などを挟んだまま画鋲などに掛けることを可能にした、ハンガ−の形をしたクリップに関するものである。
【背景技術】
【０００２】従来のゼムクリップでは、挟むという行為は問題はないが、掛けるという行為に関してはまったくの計算外である。
【考案の開示】
【考案が解決しようとする課題】
【０００３】書類や写真などを挟んだまま掛けることができるクリップである。
【課題を解決するための手段】
【０００４】上記の問題を解決する為には、クリップの形を、ハンガ−の形にすることにより、フック部を設けて、掛けることを可能にした。
【考案の効果】
【０００５】ゼムクリップ本来の機能をまったく失うことなく、新しい機能を追加している。【０００６】ハンガ−の形をしているので、簡単に掛けるという行為を連想できる。【０００７】写真やポスタ−などを飾る際、直接写真に穴をあけずに飾ることができる。【０００８】棒やヒモなどにも掛けることが可能なので、書類整理などにも使える。【０００９】見た目も小さいハンガ−みたいでかわいい。
【考案を実施するための最良の形態】
【００１０】この考案のハンガークリップ本体１は、フック部２と、左外側斜片部３と、下外側斜片部４と、右外側斜片部５と、左内側斜片部６と、下内側水平片部７と、右内側斜片部８とが、一連に形成された一本のワイヤ−からなっている。【００１１】フック部２と、左外側斜片部３と、下外側水平片部４と、右外側斜片部５は、ほぼハンガ−の形状をしており、左内側斜片部６と、下内側水平片部７と、右内側斜片部８は、上記ハンガ−形状の内側に沿ってわずかな隙間を隔てて配置され、ゼムクリップとして機能するようになっている。
【図面の簡単な説明】
【００１２】
【図１】ハンガ−クリップ本体の平面図である。
【図２】本考案の側面図、及び断面図である。
【符号の説明】
【００１３】１  ハンガ−クリップ本体
２  フック部
３  左外側斜片部
４  下外側水平片部
５  右外側斜片部
６  左内側斜片部
７  下内側水平片部
８  右内側斜片部
【手続補正２】
【補正対象書類名】図面
【補正対象項目名】図１
【補正方法】変更
【補正の内容】
【図１】
0003134841.tif 000005
(57)【要約】【課題】万引きを始めとした窃盗の犯罪に悩むスーパーやコンビニエンスストア等の各店舗において店内放送やＢＧＭにサブリミナルメッセージを混入した音楽、音声を店内に流すことによって万引き等の防犯防止の効果を得る【解決手段】店内放送やＢＧＭにサブリミナルメッセージを記録する記憶装置とそれと店内放送をミックスするミキサーを内臓した装置を店内放送のシステムに組み込む。装置からは店内放送やＢＧＭとサブリミナルメッセージが混入された音声が出力され店内に放送される。サブリミナルメッセージは潜在意識に働きかけ、万引き等の防犯防止を促す【選択図】図１
0003134848.tif 000002
【実用新案登録請求の範囲】
【請求項１】
店内放送、店内用ＢＧＭシステムにサブリミナルメッセージを再生する機器ユニットをシステム内に組み込み、万引き等の防犯効果を得る。潜在意識に働き掛けるメッセージを再再生する事によって犯罪への抑止効果を促すシステム
【請求項２】
店内放送、店内用ＢＧＭ再生システムに組み込んで万引き防止、防犯効果を促すサブリミナルメッセージを再生する装置
【考案の詳細な説明】
【技術分野】
【０００１】本考案は図１内における一般の店舗内用の放送システム、ＢＧＭ再生システムに関するものである。
【背景技術】
【０００２】店内用ＢＧＭ再生装置に人間が通常では認識できないサブリミナルメッセージを再生する装置をシステム内に設置。再生装置はＲＡＭ，ＲＯＭその他の記憶装置にサブリミナルメッセージを記憶させてサブリミナルメッセージ再生装置内に内臓
【考案の開示】
【考案が解決しようとする課題】
【０００３】スーパーマーケット、コンビニアンスストア等の店舗で発生する万引き、窃盗を潜在意識に働きかけるサブリミナルメッセージによって犯罪への抑止効果を促す
【課題を解決するための手段】
【０００４】店内放送、店内用ＢＧＭ再生システムにサブリミナルメッセージを記憶させたＲＡＭ  ＲＯＭ  ＳＤカードを内臓し、既成の店内ＢＧＭ、店内放送とミックスさせる。サブリミナルメッセージ再生装置からは店内放送とそれに混入したサブリミナルメッセージが出力される。
【考案の効果】
【０００５】サブリミナルメッセージによって店内の万引き等の犯罪の抑止効果になる
【考案を実施するための最良の形態】
【０００６】店内放送、店内用ＢＧＭ再生システムに図１のようにサブリミナルメッセージ再生装置を組み込み、アンプとスピーカーによって店舗内の放送で再生する
【図面の簡単な説明】
【０００７】
【図１】店内放送ＢＧＭ再生機にサブリミナルメッセージ再生機を組み込んだシステム図
【図２】サブリミナルメッセージ再生機内の電子回路のブロックダイアグラム
【符号の説明】
【０００８】１  サブリミナルメッセージ再生機
２  アンプ
３  スピーカー
【図１】
0003134848.tif 000003
【図２】
0003134848.tif 000004
【手続補正書】
【提出日】平成19年6月4日(2007.6.4)
【手続補正１】
【補正対象書類名】実用新案登録請求の範囲
【補正対象項目名】請求項１
【補正方法】変更
【補正の内容】
【請求項１】
潜在意識に働き掛けるサブリミナルメッセージを店内放送、店内用ＢＧＭと合成することによって店内の万引きや窃盗の抑止効果を促す音響機器
【手続補正２】
【補正対象書類名】実用新案登録請求の範囲
【補正対象項目名】請求項２
【補正方法】変更
【補正の内容】
【請求項２】
潜在意識に働き掛けるサブリミナルメッセージをデジタル信号として記憶し再生する装置と、そのメッセージを店内放送、店内用ＢＧＭと合成する装置双方を内臓することによって店内の万引きや窃盗の抑止効果を促す音響機器
【手続補正３】
【補正対象書類名】明細書
【補正対象項目名】０００１
【補正方法】変更
【補正の内容】
【０００１】本考案は図１内における一般の店舗内用の放送機器、音響機器に関するものである。
【手続補正４】
【補正対象書類名】明細書
【補正対象項目名】０００２
【補正方法】変更
【補正の内容】
【０００２】店内用ＢＧＭ再生装置に人間が通常では認識できないサブリミナルメッセージを再生して店内放送の音楽、音声信号と合成することによって万引き防止、防犯効果を促す。再生装置はデジタル信号として記憶装置に記憶され、音楽、音声信号と合成する装置と共に音響機器に内臓する。
【手続補正５】
【補正対象書類名】明細書
【補正対象項目名】０００６
【補正方法】変更
【補正の内容】
【０００６】店内放送、店内用ＢＧＭ再生音響機器に図１のようにサブリミナルメッセージを再生し、なおかつそれを店内放送の音楽、音声信号と合成する音響機器を設置し、アンプとスピーカーと組み合わせることによって店舗内で再生する
【手続補正６】
【補正対象書類名】明細書
【補正対象項目名】０００７
【補正方法】変更
【補正の内容】
【０００７】
【図１】店内放送ＢＧＭ再生音響機器にサブリミナルメッセージ再生音響機器を組み込んだシステム図
【図２】サブリミナルメッセージ再生音響機器内の電子回路のブロックダイアグラム
【手続補正７】
【補正対象書類名】明細書
【補正対象項目名】０００８
【補正方法】変更
【補正の内容】
【０００８】１  サブリミナルメッセージ再生音響機器
２  アンプ
３  スピーカー
【手続補正８】
【補正対象書類名】図面
【補正対象項目名】図１
【補正方法】変更
【補正の内容】
【図１】
0003134848.tif 000005
(57)【要約】      （修正有）【課題】フッソ樹脂ライニングを施し、耐蝕性能・耐熱性能・耐漏洩性能を機能付加する事で、化学工業を始めとする一般工業分野に適用させる金属性スパイラルダクトの提供。【解決手段】薄板鋼板帯を螺旋状に巻き、鋼板帯側端をハゼ折接合し、筒状に成型したスパイラルダクト１の内面にフッソ樹脂の厚膜融着ライニングを施したライニングダクト。【選択図】図３
0003134845.tif 000002
【実用新案登録請求の範囲】
【請求項１】
薄板鋼板帯を螺旋状に巻き、鋼板帯側端をハゼ折接合し、筒状に成型したスパイラルダクトであって、スパイラルダクトおよび接続部品ダクト内面にフッソ樹脂を厚膜融着ライニングを施した事を特徴とする。
【考案の詳細な説明】
【技術分野】
【０００１】本考案は金属製スパイラルダクトに関する。
【背景技術】
【０００２】従来、金属製スパイラルダクトは空調設備用風洞として広く使用されている。
これは、軽便製、易施工性によるものである。
【考案の開示】
【考案が解決しようとする課題】
【０００３】しかしながら、このようなスパイラルダクトは一般空調用風洞が殆どで使用場所、用途が限定されていた。このスパイラルダクトの軽便性、易施工性に耐蝕性能、耐熱性能、耐漏洩性能を機能付加する事で化学工業をはじめとする一般工業分野に広く適用させる事が出来る。
【課題を解決するための手段】
【０００４】上記課題を解決するために本考案は、ステンレスダクト内面にフッソ樹脂をライニングを施す事とした。
【考案の効果】
【０００５】本考案により、フッソ樹脂の特性である、耐薬品性能、耐熱性能、非粘着性能と図−３ハゼ接合凹部▲５▼をフッソ樹脂が融填され完全漏れ防止が図れ、スパイラルダクトの軽便性と易施工性を複合機能化でき、一般空調用風洞に特化していたスパイラルダクトを、より条件の厳しい化学工業はじめ一般工業分野に広く適応させることが可能となった。
【考案を実施するための最良の形態】
【０００６】図面を参照して本考案を詳細に説明すると、図−１はスパイラルダクト全体図であり、図−２はフッソ樹脂ライニング前スパイラルダクト図で、図−１における接続フランジ▲３▼付近の拡大断面図であり、図−３はフッソ樹脂ライニングスパイラルダクト図で、図−１における接続フランジ▲３▼付近のフッソ樹脂ライニング仕上り後の拡大断面図である。
フッソ樹脂ライニングにあたって、スパイラルダクト両端を接続シールガスケット用に図−２フッソ樹脂ライニング前スパイラルダクト図に示す、ダクト折返ラップ加工▲４▼を施す。
スパイラルダクト両端の折返ラップ加工▲４▼が施された後、スパイラルダクト内面に要求性能に合ったフッソ樹脂原料を仕込み、ライニング炉内でフッソ樹脂の厚膜融着ライニングを施す。
【図面の簡単な説明】
【０００７】
【図１】スパイラルダクト全体図
【図２】フッソ樹脂ライニング前スパイラルダクト
【図３】フッソ樹脂ライニングスパイラルダクト
【符号の説明】
【０００８】▲１▼スパイラルダクト
▲２▼ハゼ折接合部
▲３▼接続フランジ
▲４▼ダクト折返ラップ加工部
▲５▼ハゼ接合凹部
【図１】
0003134845.tif 000003
【図２】
0003134845.tif 000004
【図３】
0003134845.tif 000005
【手続補正書】
【提出日】平成19年5月21日(2007.5.21)
【手続補正１】
【補正対象書類名】実用新案登録請求の範囲
【補正対象項目名】全文
【補正方法】変更
【補正の内容】
【実用新案登録請求の範囲】
【請求項１】
薄板鋼板帯を螺旋状に巻き、鋼板帯側端をハゼ折接合し、筒状に成型したスパイラルダクトの内面にフッソ樹脂を厚膜融着ライニングを施したライニングダクト。
【手続補正２】
【補正対象書類名】明細書
【補正対象項目名】全文
【補正方法】変更
【補正の内容】
【考案の詳細な説明】
【技術分野】
【０００１】本考案は、金属製スパイラルダクトにフッソ樹脂ライニングを施し、耐蝕性能・耐熱性能・耐漏洩性能の機能付加に関するものである。
【背景技術】
【０００２】  従来、金属性スパイラルダクトは軽便・安価で広く普及使用されているが漏れ、耐蝕の問題で使用に向かないところが多く有った。特に化学工業分野においては耐蝕性能改善の為に樹脂コーティングが使われる場合も有るが、耐久性・耐食性・耐熱性の改善にはいたってなかった。
【考案の開示】
【考案が解決しようとする課題】
【０００３】この様なスパイラルダクトは使用場所、用途が限定されていた為に化学工業を始めとする一般工業分野に広く適用させる事が出来なかった。
【課題を解決するための手段】
【０００４】上記課題を解決するために本考案は、ステンレスダクト内面にフッソ樹脂ライニングを施し、軽便性・易施工性に、耐蝕性能・耐熱性能・耐漏洩性能を機能付加する事で、化学工業を始めとする一般工業分野に適用させる事が出来る。
【考案の効果】
【０００５】本考案により、フッソ樹脂の特性である、耐薬品性能・耐熱性能・非粘着性能と別紙図−３ハゼ接合凹部▲５▼をフッソ樹脂が融填されて被膜が形成される事により耐漏洩性が図れ、さらにスパイラルダクトの軽便性と易施工性が付加され一般空調用風洞に特化していたスパイラルダクトを、使用条件の厳しい化学工業を始めとする一般工業分野に広く適応させる事が可能となった。
【考案を実施するための最良の形態】
【０００６】図面を参照しながら本考案を詳細に説明すると、別紙図−１はスパイラルダクトの全体図であり別紙図−２はスパイラルダクトの管端部分の拡大断面図で、管内面のフッソ樹脂ライニング前の状態を表している。また管内面にフッソ樹脂ライニングを施す前に管端部分の両先端に折返ラップ加工▲４▼を施しダクトとダクトの接続時にシール用ガスケットの使用を可能とした。また両先端の折返ラップ加工が施された後にスパイラルダクト内面に要求性能に合ったフッソ樹脂の厚膜融着ライニングを施す。
別紙図−３はスパイラルダクトの管端部分の拡大断面図で、管内面のフッソ樹脂ライニング後の状態を表している。
【図面の簡単な説明】
【０００７】
【図１】スパイラルダクト全体図
【図２】フッソ樹脂ライニング前スパイラルダクト部分断面詳細図
【図３】フッソ樹脂ライニング後スパイラルダクト部分断面詳細図
【符号の説明】
【０００８】▲１▼  スパイラルダクト
▲２▼  ハゼ折接合部
▲３▼  接続フランジ
▲４▼  ダクト折返ラップ加工部
▲５▼  ハゼ接合凹部
(57)【要約】      （修正有）【課題】噴霧器を３分割することにより早期乾燥、拭き取り可能にする噴射機。【解決手段】本体部分をネジ式で２分割する噴射機。【効果】従来の噴霧器の本体と噴射部分の２分割のみでは分割部分の開口が非常に狭く、使用後の液体の乾燥に時間を要していた問題点を解決し得る。【選択図】図１
0003134847.tif 000002
【実用新案登録請求の範囲】
【請求項１】
従来の噴霧器の本体部分をネジ式で２分割する
【考案の詳細な説明】
【技術分野】
【０００１】  本考案は、３分割できる噴霧器に関するものである。
【背景技術】
【０００２】  本体と噴射部分の２分割だった
【考案の開示】
【考案が解決しようとする課題】
【０００３】  本体と噴射部分の２分割のみでは分割部分の開口が非常に狭く、使用後の液体の乾燥に時間を要していた。本体部分も分割し、内部の早期乾燥または拭き取りが可能になり、前述の欠点を解決しようとするものである。
【課題を解決するための手段】
【０００４】  従来の噴霧器の本体と噴射部分の２分割に加え、さらに本体をネジ式で２分割をすることにより、問題点を解決している。
【考案の効果】
【０００５】  上述の様に本体部分も２分割することにより、従来のものより内部の乾燥が非常に早く、しかも、拭き取りも可能である。
【考案を実施するための最良の形態】
【０００６】  噴霧器の本体を２分割し、その接合部分をネジ式にする。
【実施例】
【０００７】  以下添付図面に従って、一実施例を説明する。１は手動の噴射部分。２は液体を入れるための本体上部。３は本体下部。２と３はねじ式により分割、合体可能。
【図面の簡単な説明】
【０００８】
【図１】  本考案の３分割噴霧器の合体時の図面である
【図２】  本噴霧器の３分割時の図面である
【符号の説明】
【０００９】  １  手動式噴射部分
２  噴霧器本体上部
３  噴霧器本体下部
【図１】
0003134847.tif 000003
【図２】
0003134847.tif 000004
【手続補正書】
【提出日】平成19年5月24日(2007.5.24)
【手続補正１】
【補正対象書類名】実用新案登録請求の範囲
【補正対象項目名】全文
【補正方法】変更
【補正の内容】
【実用新案登録請求の範囲】
【請求項１】
噴射機の本体部分をネジ式で２分割することを特徴とする噴射機。
(57)【要約】      （修正有）【課題】メガネがメガネ吊り具より外れ脱落して大切なめがねを壊してしまう恐れがなく、メガネ使用機会を楽しくするためファッション性の充実を図る。【解決手段】メガネ本体の左右テンプルに内径１ｍｍ〜１．５ｍｍの内外側を貫く透孔をあけ、丸鐶を取り付ける。その丸鐶にメガネ吊り具に接続するため、接続具を介して接続する。接続具の両端はナスカンであり、掛け留めが簡単にでき、取り外しが容易であります。そのため、ネックレス等の貴金属装飾品が接続することができる。よって、メガネのファッション性が高まり使用時の楽しみが増大する。【選択図】図７
0003134872.tif 000002
【実用新案登録請求の範囲】
【請求項１】
メガネ吊り具をメガネに装着するための丸鐶を固定するため、透孔がテンプルにあけられていることを特徴とするメガネフレーム。
【請求項２】
メガネ吊り具をメガネに装着するための接続具を接続するため、丸鐶が請求項１のメガネフレームテンプルの透孔に装着されている請求項１に記載のメガネフレーム。
【請求項３】
メガネ吊り具の脱着を容易にするための、ナスカン（Ｎ１）とナスカン（Ｎ２）が丸鐶（Ｍ２）で接続されている接続具が装着された請求項１または請求項２に記載のメガネフレーム。
【請求項４】
メガネのファッション機能を高めるため、貴金属ネックレスがメガネ吊り具として利用できる接続具が装着されている請求項１乃至３に記載のメガネフレーム
【考案の詳細な説明】
【技術分野】
【０００１】本考案は、メガネ吊り具の装着時にメガネを取り外した際にメガネ脱落防止のためのメガネフレームテンプルの改良に関するものである
【背景技術】
【０００２】従来、メガネ吊り具用留め具は取り付けやすさ、加工の安易さからシリコンゴム製のリングを用いたものが一般的である。メガネの耳掛け部分（モダン）にシリコンゴムリングを通し、テンプルの任意の位置に留め金具４で締め付けることで固定するものである。（図１）
【考案の開示】
【考案が解決しようとする課題】
【０００３】本願考案は、メガネ吊り具装着中にメガネを取り外した際、首から吊り下げて保持しているときに、（図２）留め具４が緩み、メガネがメガネ吊り具より外れ脱落してしまい、大切なめがねを壊してしまう恐れがある。
【課題を解決するための手段】
【０００４】本願考案は、上記課題を解決すため、メガネ本体の左右テンプル２に内径１ｍｍ〜１．５ｍｍの内外側を貫く透孔１を設け、丸鐶Ｎ１を取り付ける。その丸鐶Ｎ１にメガネ吊り具を接続する。
【考案の効果】
【０００５】よって、メガネ吊り具はテンプル２に固定された丸鐶Ｎ１に接続されることになり、外れることはなくなる。
【考案を実施するための最良の形態】
【０００６】本考案に係わるメガネ本体の左右テンプル２に設けた透孔１は、図４に示すように、テンプルの蝶番５寄り部分からモダン６部分に寄った間で皮膚に接していない部分、つまり、こめかみに接しないように設け、メガネ吊り具との接続のための接続金具（図３）を接続するための丸鐶（Ｍ１）を透し、その丸鐶に請求項２の接続金具（図３）の片方を掛け留め、もう一方をメガネ吊り具に掛け留める。【０００７】接続金具（図３）はナスカン（Ｎ１）とナスカン（Ｎ２）を丸鐶（Ｍ２）でジョイントしている。メガネ吊り具は接続金具のナスカン（Ｎ１又はＮ２）に接続されていることで脱着は容易にできる。なお、メガネ吊り具は市販されている物だけではなく、ネックレス等を所持されている方はそれをメガネ吊り具として利用できるため、メガネのファッション機能をより広く楽しむことができる。
【図面の簡単な説明】
【０００７】
【図１】従来のメガネチェーン装着状況を示す要部斜視図である。
【図２】従来のメガネチェーン装着時にメガネを取り外して、首から吊り下げている状況を示す正面図である。
【図３】接続金具の斜視図である。
【図４】テンプルの透孔に丸鐶を装着した状況を示す要部斜視図である。
【図５】テンプルの透孔に丸鐶と接続金具を装着した状況を示す要部斜視図である。
【図６】本考案によるメガネにメガネ吊り具を装着した状況斜視図である。
【図７】本考案によるネックレスをメガネ吊り具として利用して装着した状況を示す斜視図である。
【記号の説明】
１    透孔（テンプルの内、外に貫通した穴）
２    テンプル
３    シリコンゴムリング
４    留め金具
５    蝶番
６    モダン
Ａ１  メガネ吊り具（従来の物）
Ａ２  ネックレス（応用した場合）
Ｎ１  ナスカン
Ｎ２  ナスカン
Ｍ１  丸鐶
Ｍ２  丸鐶
【図１】
0003134872.tif 000003
【図２】
0003134872.tif 000004
【図３】
0003134872.tif 000005
【図４】
0003134872.tif 000006
【図５】
0003134872.tif 000007
【図６】
0003134872.tif 000008
【図７】
0003134872.tif 000009
(57)【要約】      （修正有）【課題】２枚の曲性パネルと両面テープを、表裏に有した平面板を用いて、煙草の箱とライターを一体化させ、ライターの紛失を防止すると共に、喫煙時における、煙草とライターを別々に取り出すという不便性を解消する。【解決手段】本考案は、煙草の箱側面横幅と同じ平面板１に対して、煙草の箱に脱着可能な幅を有する２枚の曲性パネル２を設け、且つ、この曲性パネル付平面板に対して、曲性パネルの付いていない反対側の平面板の方にライターに貼り付けられる両面テープを設けて、曲性パネルにて煙草の箱に包み込むように脱着できるアタッチメントにより、ライターの紛失防止、及び、煙草とライターを同時に取出せるという喫煙時の利便性に役立つ。【選択図】図１
0003134880.tif 000002
【実用新案登録請求の範囲】
【請求項１】
煙草の箱側面横幅と同じ平面板に対して、煙草の箱に脱着可能な幅を有する２枚の曲性パネルを設け、且つ、この曲性パネル付平面板に対して、曲性パネルの付いていない平面板の方に両面テープを設けて、ライターに貼り付け、煙草の箱に包み込むように脱着できるライターのアタッチメント。
【考案の詳細な説明】
【技術分野】
【０００１】  本考案は、煙草の箱と同じサイズの平面板に曲性パネルと両面テープを設け、ライターに貼り付けるアタッチメントに関するものである。
【背景技術】
【０００２】  煙草とライターは、喫煙時には身体の近辺に存在するが、喫煙後のライターは、安価なもの程、その所在が曖昧になっていた。また、煙草とライターを使うときに、別々に取り出さなければならない不便性があった。
【考案の開示】
【考案が解決しようとする課題】
【０００３】  一般的に販売されているライターは、その価格の安さから、消費者は粗末に扱っているのが実態であり、ライターを紛失しても再度購入して使用可能なライターがゴミとなり、且つ、大量消費され、資源の無駄遣い及び有害ゴミよる環境問題になっているのが現状である。従ってライターと煙草の箱との間のアタッチメントを設けることにより、煙草の箱と脱着可能になり前述の問題点を解決しようとするものである。
【課題を解決するための手段】
【０００４】  本考案は、煙草の箱側面横幅と同じ平面板に対して、煙草の箱に脱着可能な幅を有する２枚の曲性パネルを設け、且つ、この曲性パネル付平面板に対して、曲性パネルの付いていない反対側の平面板の方に両面テープを設けて、ライターに貼り付け、曲性パネルにて煙草の箱に包み込むように脱着できるアタッチメントにより問題点を解決している。
【考案の効果】
【０００５】  上述のように、本考案のアタッチメントを取付けたライターにおいて、アタッチメントに設けた２枚のパネルが、煙草の箱側面を包み込むことにより、ライターの紛失防止に役立つと共に、煙草とライターが一体化されることにより、ポケット等にこれらを保管し、喫煙する際には煙草及びライターが同時に取り出せる効果がある。
【考案を実施するための最良の形態】
【０００６】  煙草の箱側面横幅と同じ平面板に対して、煙草の箱に脱着可能な幅を有する２枚の曲性パネルを設け、互いのパネル幅を一方は広く、一方は狭くし、且つ、この曲性パネル付平面板に対して、曲性パネルの付いていない平面板の方に両面テープを設けて、ライターに貼り付け、曲性パネルの方で煙草の箱を包み込む。このアタッチメントによりパネルの広い方向から、煙草の箱に挿入し、パネルの狭い方向へ押上げることで、簡単及び確実に煙草の箱と当該ライターが脱着可能になる。
【実施例】
【０００７】  以下、添付図面に従って一実施例を説明する。１は平面板であり、２の曲性パネルを設けて、煙草の箱への固定度を高めている。【０００８】  ５から６の幅を煙草の箱本体側面よりやや広くすることにより、煙草の箱に挿入しやすく、又、はずし易くした。また、３から４の幅を煙草の箱より狭くすることにより、煙草の箱への固定度を高めた。煙草の箱へ挿入する場合は、並んだ２枚のパネルの広い方から挿入し、狭い方へ序々に押し上げることで、煙草の箱に装着できるし、又、２枚のパネル幅の広い方から煙草の箱の側面上部または下部から垂直に差し込むこともできる。逆に、ライターと煙草の箱を離す場合には、３から４のパネル幅の広いほうから引き抜く。【０００９】  ７は両面テープであり、この両面テープでパネル付き平面板をライターに貼りつける。
【図面の簡単な説明】
【０００９】
【図１】  煙草の箱とライター間アタッチメントの表側斜視図である。
【図２】  本アタッチメントの裏側斜視図である。
【符号の説明】
【００１０】  １  平面板
２  パネル部
３  パネル上部先端
４  パネル上部先端
５  パネル下部先端
６  パネル下部先端
７  両面テープ
【図１】
0003134880.tif 000003
【図２】
0003134880.tif 000004